(57)【要約】【課題】  菓子などを盛りつけるための紙皿は、市販のものを購入しなければならなかった。家庭で簡単に紙皿を作ることは不可能であった。  また、不要になった新聞広告紙や古雑誌などは、リサイクル資源として回収してもらうか廃棄していた。  そこで、本発明は、紙や古紙を用いて家庭でも容易に簡易な紙皿を成形することが可能な紙皿成形型を提供する。【解決手段】  凸部に略板形状をした突起条と凹部に溝を設けた山型の凹凸を側面に設けた逆円錐台形状を形成したオス型を設ける。オス型の凹凸に対応する逆円錐台形状の凹陥部を設けたメス型を設ける。オス型の上面に握持部を設ける。メス型の上縁部の内側に向け丸みを設ける。メス型の上縁部の外側から繋がる側壁を設ける。メス型の底部に開穴を設ける。【選択図】  図１
2010264613.tif 000002
【特許請求の範囲】
【請求項１】
凸部に略板形状をした突起条と凹部に溝を設けた山型の凹凸を側面に設けた逆円錐台形状を形成したオス型と、該オス型の凹凸に対応する逆円錐台形状の凹陥部を設けたメス型を一組としたことを特徴とする紙皿成形型。
【請求項２】
前記オス型の上面に握持部を設け、前記メス型の上縁部の内側に向け丸みを設け、該メス型の上縁部の外側から繋がる側壁を設け、該メス型の底部に開穴を設けた請求項１記載の紙皿成形型。
【発明の詳細な説明】
【技術分野】
【０００１】
本発明は、紙や古紙を用いて家庭でも容易に簡易な紙皿を成形することが可能な紙皿成形型に関するものである。
【背景技術】
【０００２】
従来、菓子などを盛り付けるのに使用する紙皿としては、市販されている紙皿を購入し、それに盛り付けていた。市販の紙皿としては多種多様のものが知られている。
なお、市販のアルミ箔を利用して、容易にアルミカップを成形することが可能なアルミカップ用成形型が知られている（特許文献１参照）。
また、紙皿の成形と同時に紙皿の外周部に縁巻きを成形する成形装置が知られている（特許文献２参照）。
【特許文献１】特開平１０−２１１０７５公報
【特許文献２】特開平５−７７３４４公報
【発明の概要】
【発明が解決しようとする課題】
【０００３】
菓子などを盛りつけるための紙皿は、市販のものを購入しなければならなかった。家庭で簡単に紙皿を作ることは不可能であった。
また、不要になった新聞広告紙や古雑誌などは、リサイクル資源として回収してもらうか廃棄していた。
そこで、本発明は、紙や古紙を用いて家庭でも容易に簡易な紙皿を成形することが可能な紙皿成形型を提供する。
【課題を解決するための手段】
【０００４】
凸部に略板形状をした突起条と凹部に溝を設けた山型の凹凸を側面に設けた逆円錐台形状を形成したオス型を設ける。オス型の凹凸に対応する逆円錐台形状の凹陥部を設けたメス型を設ける。オス型の上面に握持部を設ける。メス型の上縁部の内側に向け丸みを設ける。メス型の上縁部の外側から繋がる側壁を設ける。メス型の底部に開穴を設ける。
以上の構成よりなる紙皿成形型。
【発明の効果】
【０００５】
従来購入していた市販の紙皿の代わりに、本発明により家庭でも紙を用いて容易に簡易な紙皿が成形できるため、一部の市販の紙皿を購入しなくてもよくなるので経済的である。
なお、使用する紙には、不要になった新聞広告紙や古雑誌から切り取った紙面などの古紙を用いると環境に良い。
【発明を実施するための形態】
【０００６】
以下、本発明の実施の形態を説明する。
（イ）  オス型１の上面部１４に握持部４を設ける。
（ロ）  オス型１は逆円錐台形状に形成する。
（ハ）  オス型１の逆円錐台形状の側面に下方から上方側に向けて徐々に大きくなる山型５の凹凸を縦方向に全周にわたって均等に設ける。
（ニ）  オス型１の山型５の凸部に略板形状をした突起条６を設け、凹部に溝７を設える。
（ホ）  メス型２にオス型１の凹凸に対応する逆円錐台形状の凹陥部を設ける。
（ヘ）  メス型２の上縁部３は上部から内側にかけて丸みを設ける。
（ト）  オス型１とメス型２の接合部１１は紙１枚以上の隙間を設ける。
（チ）  メス型２には上縁部３の外側から繋がる円柱型の側壁１０を設ける。
（リ）  メス型２の底部８に開穴９を設ける。
【０００７】
なお、本発明の成形材料は、家庭でも使いやすいように紙との摩擦が少ないプラスチック製とすることが好ましい。
【０００８】
図６（１）図５のＣ−Ｃ線部における接合部１１の水平断面図を示す。また、図６（２）図５のＤ−Ｄ線部におけるに接合部１１の水平断面図を示す。図６（２）よりも図６（１）の方が、山型５の凹凸は大きく、突起条６は高く、溝７は深く形成する。また、図６（１）（２）では、オス型１をメス型２に挿入した状態で、紙１２（紙皿１３）も明記している。
本発明は以上のような構造である。
【０００９】
本発明を使用するときは、図７に示すように適当な大きさの1枚の紙１２をメス型２の上面の中央付近にのせる。オス型１の握持部４を持ち、紙１２の上方よりオス型１を紙１２を介するようにしてメス型２の凹陥部に押し込む。メス型２の上縁部３に丸みを設けているので、紙１２が丸みに沿って引っ掛かることなく、そして徐々に紙１２の周囲に縦方向に均等にシワを成形していく。オス型１がメス型２に入りきると、接合部１１の突起条６とそれに対応する溝７により、紙１２に折りシワをしっかりと成形することにより紙皿１３は皿の形状を維持できる。オス型１を引き抜き、紙１２（紙皿１３）を取り出すと全周にわたってヒダ状の折りシワを縦方向に備えた紙皿１３が完成する。
【００１０】
メス型２の底部８の開穴９は空気の圧力を抜く穴であり、オス型１の出し入れを容易にする。また、できた紙皿１３も開穴９により空気の圧力が抜けて容易に取り出せる。
【００１１】
使用する紙１２には、不要になった新聞広告紙や古雑誌から切り取った紙面などの古紙を適当な大きさに切って用いると環境に良い。もちろん新しい紙も使え、模様のついた紙１２などで成形すると装飾性のある紙皿１３ができる。このとき紙１２の形状は長方形や正方形のままでもよいが、紙１２を予め丸形や六角形などに切って本発明を使用すると外観のよい紙皿１３を成形することができる。
【００１２】
次にできた紙皿１３の使用例などを述べる。
紙皿１３に菓子などを盛りつけることができ、市販の紙皿を使わなくて済む。
また、多くのお客様の訪問でも、すぐにたくさんの紙皿をつることができ、そこに菓子などを盛り付けられる。
また、菓子などをできた紙皿１３に小出しに盛り付けることにより食べ過ぎることを予防できる。
また、簡単な即席のゴミ入れとしても使え、ピーナッツの殻なども捨てることができる。
また、飲食店においても、本発明を使用してできた紙皿にスナック菓子類などを盛り付けるのに使える。
なお、使用後の紙皿１３は手で押し広げれば、元の紙のリサイクル資源として回収してもらえる。
【実施例１】
【００１３】
本発明を図８のように、メス型２の側壁１０を木の外観を模した形状とし、オス型１の握持部４を木の葉を模した形状とすると、本発明の古紙から紙皿ができるという再生のイメージのあるものにできる。図８において接合部１１の透視図は簡略化している。
【実施例２】
【００１４】
また、本発明を図９のように、メス型２の側壁１０とオス型１の握持部４を略扁球形状にすると、果物などを連想させ環境によいイメージの外観となる。図９において接合部１１の透視図は簡略化している。
【図面の簡単な説明】
【００１５】
【図１】（１）本発明のオス型１の斜視図  （２）本発明のメス型２の斜視図
【図２】本発明のオス型１が本発明のメス型２に挿入されたときの斜視図
【図３】（１）本発明のオス型１の斜視図  （２）Ａ部を拡大した本発明のオス型１の拡大斜視図
【図４】（１）本発明のメス型２の斜視図  （２）Ｂ部を拡大した本発明のメス型２の拡大斜視図
【図５】本発明の略断面図
【図６】（１）図５のＣ−Ｃ線部における水平断面図  （２）図５のＤ−Ｄ線部における水平断面図
【図７】本発明の使用例の斜視図
【図８】本発明の実施例１の斜視図
【図９】本発明の実施例２の斜視図
【符号の説明】
【００１６】
１  オス型
２  メス型
３  上縁部
４  握持部
５  山型
６  突起条
７  溝
８  底部
９  開穴
１０  側壁
１１  接合部
１２  紙
１３  紙皿
１４  上面部
【図１】
2010264613.tif 000003
【図２】
2010264613.tif 000004
【図３】
2010264613.tif 000005
【図４】
2010264613.tif 000006
【図５】
2010264613.tif 000007
【図６】
2010264613.tif 000008
【図７】
2010264613.tif 000009
【図８】
2010264613.tif 000010
【図９】
2010264613.tif 000011